(57)【要約】【課題】火がつけられた線香などを供え置き易い、香炉の被点火物供置具を実現する。【解決手段】ろうそく立て４２ｂ（ａ）及び線香立て４３が収納されて配置される収納器１１の底壁前縁部に、開閉扉１２の下端部を２つの蝶番１９ｂ（ａ）を介して取り付ける。ガイド３３ｂ（ａ）と滑り対遇をするスライド片３２ｂ（ａ）を有し収納器１１の奥行方向において移動可能な可動体３１と、開閉扉１２とを、連結部材３５ｂ（ａ），３７ｂ（ａ）を介して連結する。ろうそく立て４２ｂ（ａ）及び線香立て４３を支持した支持皿４１を、可動体３１のうえに載置する。【選択図】        図１
2004208805.tif 000002
【特許請求の範囲】
【請求項１】
供置される被点火物が収納される収納器（１１）と、
下端部が前記収納器の底壁前縁部に取り付けられた、開閉自在の開閉扉（１２）と、
連結部材（３５ａ，３５ｂ，３７ａ，３７ｂ）を介して前記開閉扉と連結され、前記開閉扉の開閉動作に連動して前記収納器の奥行方向において移動可能な可動体（３１）と、
前記可動体上に載置される、前記被点火物を支持する支持皿（４１）とを、
具備した香炉の被点火物供置具。
【請求項２】
供置される被点火物が収納される収納器（１１）と、
下端部が前記収納器の底壁前縁部に取り付けられた、開閉自在の開閉扉（１２）と、
連結部材（３５ａ，３５ｂ，３７ａ，３７ｂ）を介して前記開閉扉と連結され、前記開閉扉の開閉動作に連動して前記収納器の奥行方向において移動可能な前記被点火物を支持する支持皿（４１）とを、
具備した香炉の被点火物供置具。
【発明の詳細な説明】
【０００１】
【発明の属する技術分野】
本発明は、香炉の被点火物供置具に関する。より詳しくは、墓所の墓石の正面近傍に配置される香炉に用いられる、被点火物であるろうそくや線香を供え置く供置具であって、被点火物が供置がし易いとともに、滴れたろうそくのろうや燃えた線香の灰の清掃がし易い香炉の被点火物供置具を提供せんとするものである。
【０００２】
【従来の技術】
従来より用いられている香炉の被点火物供置具の構成を、図６に示し説明する。ここで、図６は、この従来例の構成を示す、一部を切欠いた斜視図である。
【０００３】
図６において、６１は、盃状のろうそく立て７２ａ，７２ｂ及び円筒状の線香立て７３が収納されて配置される、箱体状の収納器であり、素材には一般にステンレスが使用される。この収納器６１の前面側には、観音開きの開閉扉６２ａ，６２ｂが開閉自在に取り付けられている。各開閉扉６２ａ，６２ｂは、それぞれ方形の枠体６３ａ，６３ｂに板ガラス６５ａ，６５ｂが取り付けられたものである。そして、各枠体６３ａ，６３ｂの上部及び下部には、それぞれ空気を流通させるための円形の通気孔６４ａ〜ｆが設けられている。収納器６１に開閉扉６２ａ，６２ｂが取り付けられているのは、これを閉じることで、強風によりろうそくや線香の火が消えるのを防止するとともに、ここから飛び火するのを防ぐためである。
【０００４】
また、収納器６１の底壁前縁側の両端部には、２つの板状のストッパ６６ａ，６６ｂが立設されている。これらのストッパ６６ａ，６６ｂは、ろうそく立て７２ａ，７２ｂ及び線香立て７３を支持する、方形の皿状の支持皿７１を、収納器６１内に定置させておくためのものである。
【０００５】
他方、収納器６１の背板上部には、線香立て７３に立てられ火がついている線香からの煙を排出するための円形の排煙孔６７ａ〜ｃが設けられている。
【０００６】
このように構成された被点火物供置具は、図７に示すように、仏殿の形状をした石製の香炉１００の空隙部Ｓ内に組み込まれ、収納器６１の底壁を接着剤を用いて香炉１００に接着することにより固定される。
【０００７】
そこで、忌日などに墓所に参拝する者が、ろうそくや線香を香炉に立てる場合は、収納器６１の開閉扉６２ａ，６２ｂを開けたうえで、図８（ａ）に示すように、収納器６１の内部に手を入れて、支持皿７１に支持されたろうそく立て７２ｂ（ａ）や線香立て７３に、火のついたろうそくや線香を立てることになる。
【０００８】
また、滴れたろうそくのろうや燃えた線香の灰の清掃は、収納器６１の中に手を入れて、ろうそく立て７２ａ，７２ｂ及び線香立て７３を支持する支持皿７１を、図８（ｂ）に示すように、収納器６１から外部に取り出したうえで行なわれることになる。
【０００９】
【発明が解決しようとする課題】
しかしながら、図６に示した従来例によると、つぎのような解決すべき課題がある。すなわち、ろうそく立て７２ａ，７２ｂや線香立て７３が内部に収納されて配置される収納器６１のサイズは、高さが２０ｃｍ程度のものが一般的である。しかも、近時は、収納器６１のサイズは小型化の傾向にあり、高さが１４ないし１５ｃｍ程度のものも多くなってきており、収納器６１内の空間は狭小なものとなっている。
【００１０】
そのため、墓所の参拝者は、ろうそく立て７２ａ，７２ｂや線香立て７３にろうそくや線香を立てにくく、参拝者が多数の場合には、参拝が終了するまで長時間を要してしまう。
【００１１】
のみならず、円筒状の線香立て７３は、長尺物である線香が倒れないように線香を支持するものであることから、ある程度の高さを要する。したがって、線香立て７３の上端と収納器６１の上壁との間のスペースは、ろうそく立て７２ａ，７２ｂのそれよりも狭い。その結果、線香を収納器６１内に入れようとするときに、収納器６１の上壁前縁部などに線香が当接して折れてしまうこともある。
【００１２】
さらに、滴れたろうそくのろうや燃えた線香の灰の清掃は、収納器６１の狭小な内部に手を入れて、ろうそく立て７２ａ，７２ｂ及び線香立て７３を支持する支持皿７１を、収納器６１から取り出して行ない、清掃が終了すれば、再び収納器６１の内部に手を入れて、支持皿７１を置かなければならないという煩わしさを伴う。以上のような解決すべき課題が、図６に示した従来例にはあった。
【００１３】
【課題を解決するための手段】
そこで、上記課題に照らし、本発明はなされたものである。そのために、本発明では、供置される被点火物が収納される収納器の底壁前縁部に、開閉自在の開閉扉の下端部を取り付ける。被点火物を支持する支持皿を載置した可動体又は支持皿自体を、連結部材を介して開閉扉と連結する。開閉扉の開閉動作に連動して当該可動体又は支持皿を収納器の奥行方向において移動可能とする。以上のような手段を講じるようにした。
【００１４】
【発明の実施の形態】
本発明の実施の形態を図１に示し説明する。ここで、図１は、本実施の形態における香炉の被点火物供置具の構成を示す部分側断面図である。
【００１５】
図１において、図６に示した従来例の構成と異なるところを説明する。ろうそく立て４２ｂ（ａ）及び線香立て４３が収納されて配置される収納器１１の前面側に取り付けられる開閉扉１２は、従来例におけるような観音開きの扉ではなく、図２（一部を切欠いた斜視図）に示すように、収納器６１の前面側全体を１つの開閉扉１２により覆っている。
【００１６】
すなわち、開閉扉１２は、１つの方形の枠体１３に１枚の板ガラス１６が固定されたものからなっている。板ガラス１６は、図１に示すように、下端部が支持部材１８により支持され、両側部は各挟持部材１７ｂ（ａ）により挟持されている。また、開閉扉１２は、下端部が２つの蝶番１９ｂ（ａ）を介して収納器１１の底壁前縁部に取り付けられ開閉自在となっている。そして、開閉扉１２の上部内側には、開閉扉１２を閉じた状態を保持するための２つの短い円筒状の止め具２０ｂ（ａ）が取り付けられている。
【００１７】
さらに、板ガラス１６が固定された枠体１３には、図２に示すように、上部中央に開閉扉１２を開閉するための弓形状の把手１５が取り付けられ、下部に空気を流通させるための２つのスリツト状の通気孔１４ａ，１４ｂが設けられている。なお、収納器１１の上壁には、火がついている線香からの煙を排出するための３つの円形の排煙孔２１ａ〜ｃが設けられている。また、収納器１１の背板２２は、火がついている線香からの煙の排出をより促すために、収納器１１の背面を部分的に覆うものとなっている。
【００１８】
図１において、収納器１１内部の下方には、収納器１１の奥行方向（図面上で左右方向）において移動可能な可動体３１が配置されている。この可動体３１は、図３（ａ）（斜視図）に示すように、断面Ｌ字状の板材を用いて方形の枠体状に形成されている。ここにおける可動体３１の底部両端部には、図３（ｂ）（部分断面図）に示すように、それぞれスライド片３２ａ，３２ｂが固着されている。そして、各スライド片３２ａ，３２ｂは、収納器１１の各側壁に垂設された板状の各ガイド３３ａ，３３ｂにそれぞれ滑り対偶をしている。
【００１９】
図１において、可動体３１の各側壁における収納器１１背面側の端部には、ここに突設された支軸３４ｂ（ａ）を介して、板状の連結部材３５ｂ（ａ）がそれぞれ回動自在に連結されている。
【００２０】
また、開閉扉１２における各ガイド３３ｂ（ａ）よりは高い所定の部位の両端部に垂設された、２つの板状の連結部材３７ｂ（ａ）の先端部に、ここに突設された各支軸３６ｂ（ａ）を介して、可動体３１と連結した各連結部材３５ｂ（ａ）がそれぞれ回動自在に連結されている。すなわち、可動体３１と開閉扉１２とは、各連結部材３５ｂ（ａ），３７ｂ（ａ）を介して連結されていることになる。
【００２１】
このように、各連結部材３５ｂ（ａ），３７ｂ（ａ）を介して開閉扉１２と連結された可動体３１には、図４（斜視図）に示すように、２つのろうそく立て４２ａ，４２ｂ及び１つの線香立て４３を支持した支持皿４１が、可動体３１と重合するように載置されている。なお、各ろうそく立て４２ａ，４２ｂ、線香立て４３及びこれらを支持する支持皿４１の構成は、図６に示した従来例におけるものと同じである。
【００２２】
つぎに、以上のように構成された、香炉の被点火物供置具の使用方法について、図５により説明する。ここで、使用前は、収納器１１の開閉扉１２は閉じられているものとする。
【００２３】
そこで、墓所の参拝者が、火をつけたろうそくや線香を、収納器１１の内部に入れようとする場合は、まず、開閉扉１１の把手１５（図１，図２）を指で挟んで、図５（ａ）に示すように、開閉扉１２を手前側に引っ張って開ける。すると、既述のように、開閉扉１２と可動体３１は各連結部材３５ｂ（ａ），３７ｂ（ａ）を介して連結されているので、図示するように、ろうそく立て４２ａ，４２ｂ及び線香立て４３を支持した支持皿４１を載置した可動体３１は、開閉扉１２の開放動作に連動して収納器１１の前面側に向けて移動する。そして、開閉扉１２をさらに引っ張れば、図５（ｂ）に示すように、支持皿４１は収納器１１より外部に露出することになる。
【００２４】
そこで、火をつけたろうそくや線香を、支持皿４１に支持されたろうそく立て４２ａ，４２ｂや線香立て４３に立てる。このとき、支持皿４１は、収納器１１より出て外部に露出しているので、ろうそくや線香を立てるのは、極めて容易である。
【００２５】
ろうそくや線香を立てた後は、開閉扉１２を閉じれば、支持皿４１は収納器１１の内部に向けて移動し、開閉扉１１を完全に閉じれば、支持皿４１は収納器１１の中に収納されることになる。
【００２６】
以上においては、２つのろうそく立て４２ａ，４２ｂ及び１つの線香立て４３を、支持皿４１により支持する場合について説明した。しかし、本発明は、これに限定されるものではない。その個数は、地域の慣習によって異なることがあることから、必要に応じて適宜の個数に設定するようにしてよい。さらには、線香を立てずに横置きに供える地域もあるので、ろうそく立て４２ａ，４２ｂや線香立て４３の代わりに、横置き用の所要部材を支持皿４１に配設するようにしてもよい。
【００２７】
また、ろうそく立て４２ａ，４２ｂ及び線香立て４３を支持した支持皿４１を可動体３１に載置して、この可動体３１を移動させる場合について説明した。これは、上述のように、香炉に配置するろうそく立て４２ａ，４２ｂや線香立て４３の個数が、地域の慣習によって異なることがあるため、それぞれの慣習に適合した個数のろうそく立て４２ａ，４２ｂ及び線香立て４３を支持した支持皿４１に適宜置き換えられるようにしたことによる。
【００２８】
しかし、本発明は、可動体３１を用いる場合に限られるものではない。可動体３１は用いずに、ろうそく立て４２ａ，４２ｂや線香立て４３を支持した支持皿４１、あるいは線香の横置き用の部材が配設された支持皿４１自体を直接移動させる場合にも、本発明は適用され得るものである。
【００２９】
【発明の効果】
以上の説明から明らかなように、本発明によるならば、線香などの被点火物が供置される支持皿が、それが置かれた収納器の開閉扉の開放動作に連動して、収納器の外部に露出する。その結果、墓所の参拝者は、収納器内の狭小な空間に手を入れて被点火物を供置する必要がなく、容易かつ迅速に線香等を供え置くことができる。参拝者が多数の場合は、参拝が終了するまでの時間を短縮することが可能となる。しかも、火をつけた線香を収納器の内部に手で入れる必要がないので、収納器の上壁前縁部などに線香が当接して折れるということもない。
【００３０】
また、滴れたろうそくのろうや燃えた線香の灰の清掃は、従来例におけるように、収納器の内部に手を入れて、ろうそくや線香が供置された支持皿を外部に取り出して行う必要がないことから、これもまた容易かつ迅速に行うことが可能となる。
【００３１】
さらに、収納器に取り付けられる開閉扉は、従来例におけるような観音開きの２枚扉ではなく１枚扉である。すなわち、収納器の前面にはセンター・ピラーがなく、収納器前面のほぼ全体が板ガラスにより覆われており、収納器の内部が見易いという効果も得られる。したがって、本発明がもたらす効果は、実用上極めて大きい。
【図面の簡単な説明】
【図１】本発明の実施の形態を示す部分側断面図である。
【図２】図１に示した収納器の一部を切欠いた斜視図である。
【図３】図１に示した可動体の構成を示す構成図である。
【図４】図１に示したろうそく立て及び線香立てを支持した支持皿が、可動体に載置された状態を説明するための説明図である。
【図５】図１に示した香炉の被点火物供置具の使用方法を説明するための説明図である。
【図６】従来例の構成を示す、一部を切欠いた斜視図である。
【図７】図６に示した従来例が香炉に組み込まれた場合の様子を説明するための説明図である。
【図８】図６に示した従来例の使用方法及び清掃方法を説明するための説明図である。
【符号の説明】
１１  収納器
１２  開閉扉
１３  枠体
１４ａ，１４ｂ  通気孔
１５  把手
１６  板ガラス
１７ａ，１７ｂ  挟持部材
１８  支持部材
１９ａ，１９ｂ  蝶番
２０ａ，２０ｂ  止め具
２１ａ〜２１ｃ  排煙孔
２２  背板
３１  可動体
３２ａ，３２ｂ  スライド片
３３ａ，３３ｂ  ガイド
３４ａ，３４ｂ，３６ａ，３６ｂ  支軸
３５ａ，３５ｂ，３７ａ，３７ｂ  連結部材
４１  支持皿
４２ａ，４２ｂ  ろうそく立て
４３  線香立て
６１  収納器
６２ａ，６２ｂ  開閉扉
６３ａ，６３ｂ  枠体
６４ａ〜６４ｆ  通気孔
６５ａ，６５ｂ  板ガラス
６６ａ，６６ｂ  ストッパ
６７ａ〜６７ｃ  排煙孔
７１  支持皿
７２ａ，７２ｂ  ろうそく立て
７３  線香立て
１００  香炉
Ｓ  空隙部
【図１】
2004208805.tif 000003
【図２】
2004208805.tif 000004
【図３】
2004208805.tif 000005
【図４】
2004208805.tif 000006
【図５】
2004208805.tif 000007
【図６】
2004208805.tif 000008
【図７】
2004208805.tif 000009
【図８】
2004208805.tif 000010